(57)【要約】【課題】ダンパー機構の振動吸収能をばらつかせることなく、レンズホルダあるいはフレームにダンパー機構を取り付けることのできる光ヘッド装置を提供すること。【解決手段】光ヘッド装置のレンズホルダあるいはホルダにダンパー機構取付部５を形成しておき、そこに接着剤６を塗布した後、ダンパー材７１とバランサーウエイト７２とが積層されてなるダンパー機構７のダンパー材７１の方を接着剤６を介してダンパ機構取付部５に固定する。ダンパー機構取付部５では、ダンパー材７１との接合領域５０の周りに接着剤溜まり部５５２としての凹部が形成されているため、余剰な接着剤６がダンパー材７１と接合領域５０との間から染み出しても、染み出した接着剤６は、接着剤溜まり部５５２に流出し、バランサーウエイト７２まで届くことがない。【選択図】　　　図１
2004145959.tif 000002
【特許請求の範囲】
【請求項１】
対物レンズを保持するレンズホルダと、該レンズホルダを支持部材を介してトラッキング方向およびフォーカシング方向に移動可能に支持するフレームとを有する光ヘッド装置において、
前記レンズホルダおよび前記フレームのうちの少なくとも一方には、ダンパー材とバランサーウエイトとが積層されてなるダンパー機構の前記ダンパー材が接着剤によって取り付けられるダンパー機構取付部が形成され、
当該ダンパー機構取付部には、余剰な接着剤が溜まる接着剤溜まり部が形成されていることを特徴とする光ヘッド装置。
【請求項２】
請求項１において、前記ダンパー機構取付部では、前記ダンパー材との接合領域を当該ダンパー材の面積よりも狭く、前記接合領域の周囲を前記接着剤溜まり部として当該接合領域よりも低くしたことを特徴とする光ヘッド装置。
【請求項３】
請求項１において、前記ダンパー機構取付部では、前記ダンパー材との接合領域の周りに前記接着剤溜まり部としての凹部を形成したことを特徴とする光ヘッド装置。
【請求項４】
請求項１において、前記ダンパー機構取付部では、前記ダンパー材との接合領域内に前記接着剤溜まり部としての凹部を形成したことを特徴とする光ヘッド装置。
【発明の詳細な説明】
【０００１】
【発明の属する技術分野】
本発明は、光記録媒体の記録、再生に用いられる光ヘッド装置に関するものである。さらに詳しくは、この光ヘッド装置でのダンパー機構の取付技術に関するものである。
【０００２】
ＣＤ、ＣＤ−Ｒ、ＤＶＤなどの光記録媒体の記録、再生を行う光ヘッド装置は、対物レンズを保持するレンズホルダと、このレンズホルダを支持部材を介してトラッキング方向およびフォーカシング方向に移動可能に支持するフレームと、対物レンズをフォーカシング方向およびトラッキング方向に駆動する磁気駆動回路とを有している。従って、磁気駆動回路の駆動コイルに通電すると、それによって発生したローレンツ力によって、対物レンズを保持するレンズホルダをフォーカシング方向およびトラッキング方向に駆動することができる。その際に、対物レンズが振動し続けると、光記録媒体の記録、再生を適正に行うことができない。また、フレームを光記録媒体の半径方向に走査した後も、対物レンズが振動し続けると、光記録媒体の記録、再生を適正に行うことができない。
【０００３】
そこで、従来は、図５に示すように、レンズホルダあるいはフレームに、十分に広くて、かつ、平坦なダンパー機構取付部５を形成しておき、そこに接着剤６を塗布した後、この接着剤６によって、ダンパー材７１とバランサーウエイト７２とが積層されてなるダンパー機構７のダンパー材７１の方をダンパ機構取付部５に接着固定している。
【０００４】
【発明が解決しようとする課題】
しかしながら、ダンパー材７１は、厚さが０．１ｍｍ程度と極めて薄いため、従来の構造において、ダンパー機構７のダンパー材７１を接着剤６を介してダンパ機構取付部５に固定すると、余剰な接着剤６がダンパー材７１とダンパ機構取付部５との間から染み出し、染み出した接着剤６がバランサーウエイト７２まで届いてしまうことがある。このような状態では、バランサーウエイト７２が接着剤６によってダンパー材７１を介さず、直接、ダンパ機構取付部５に固定されたことになる。その結果、ダンパー材７１の弾性度が製品毎にばらついてダンパー機構７の振動吸収効果がばらついてしまうという問題点がある。
【０００５】
以上の問題点に鑑みて、本発明の課題は、ダンパー機構の振動吸収能をばらつかせることなく、レンズホルダあるいはフレームにダンパー機構を取り付けることのできる光ヘッド装置を提供することにある。
【０００６】
【課題を解決するための手段】
上記課題を解決するために、本発明では、対物レンズを保持するレンズホルダと、該レンズホルダを支持部材を介してトラッキング方向およびフォーカシング方向に移動可能に支持するフレームとを有する光ヘッド装置において、前記レンズホルダおよび前記フレームのうちの少なくとも一方には、ダンパー材とバランサーウエイトとが積層されてなるダンパー機構の前記ダンパー材が接着剤によって取り付けられるダンパー機構取付部が形成され、当該ダンパー機構取付部には、余剰な接着剤が溜まる接着剤溜まり部が形成されていることを特徴とする。
【０００７】
本発明では、ダンパー機構取付部の接合領域に接着剤を塗布した後、そこにダンパー機構を取り付けた際、余剰な接着剤は、接着剤溜まり部に逃げるので、余剰な接着剤がダンパー材と接合領域との間から染み出してバランサーウエイトまで届くということがない。従って、バランサーウエイトが接着剤を介してダンパ機構取付部に直接、固定されるという事態が発生しない。それ故、ダンパー材の弾性度が製品毎にばらつくことがないので、ダンパー機構において安定した振動吸収効果を得ることができる。
【０００８】
本発明において、前記ダンパー機構取付部では、例えば、前記ダンパー材との接合領域を当該ダンパー材の面積よりも狭くして、前記接合領域の周囲を前記接着剤溜まり部として当該接合領域よりも低くしてもよい。
【０００９】
本発明において、前記ダンパー機構取付部では、前記ダンパー材との接合領域の周りに前記接着剤溜まり部としての凹部を形成してもよい。
【００１０】
本発明において、前記ダンパー機構取付部では、前記ダンパー材との接合領域内に前記接着剤溜まり部としての凹部を形成してもよい。
【００１１】
【発明の実施の形態】
図面を参照して、本発明の実施の形態を説明する。なお、以下に説明する実施の形態は、基本的な構成が共通しているので、共通する部分には同一の符号を付して説明する。
【００１２】
［実施の形態１］
図１（Ａ）、（Ｂ）はそれぞれ、軸摺動回動型アクチュエータを備えた光ヘッド装置を模式的に示す説明図、およびワイヤーサスペンジョン型アクチュエータを備えた光ヘッド装置の説明図である。図２は、本発明の実施の形態１に係るダンパー機構の取り付け構造を示す説明図である。
【００１３】
図１（Ａ）に示す軸摺動回動型アクチュエータを備えた光ヘッド装置では、光記録媒体の半径方向に走査可能なフレーム２０上に、対物レンズ３を保持するレンズホルダ２２が支軸２１（支持部材）によって支持された状態にある。レンズホルダ２２は、磁気駆動回路（図示せず）によって、トラッキング駆動時には、矢印Ｔ１で示すように、支軸２１周りに回動可能であるとともに、フォーカシング駆動時には、矢印Ｆ１で示すように、支軸２１に沿って摺動可能である。
【００１４】
また、図１（Ｂ）に示すワイヤーサスペンジョン型アクチュエータを備えた光ヘッド装置では、光記録媒体２の半径方向に走査可能なフレーム３０上に、例えば、４本のワイヤー３１によって、対物レンズ３を保持するレンズホルダ３２が支持された状態にある。レンズホルダ３２は、磁気駆動回路（図示せず）によって、トラッキング駆動時には、矢印Ｔ２で示すように、ワイヤー３１の変形によりトラッキング方向に変位可能であるとともに、フォーカシング駆動時には、矢印Ｆ２で示すように、ワイヤー３１の変形によりフォーカシング方向に変位可能である。
【００１５】
これらいずれのタイプの光ヘッド装置においても、磁気駆動回路の駆動コイルに通電すると、それによって発生したローレンツ力によって、対物レンズ３を保持するレンズホルダ２２２、３２をフォーカシング方向およびトラッキング方向に駆動することができる。その際に、対物レンズ３が振動し続けると、光記録媒体２の記録、再生を適正に行うことができない。また、フレーム２０、３０を光記録媒体２の半径方向に走査した後、対物レンズ３が振動し続けた場合も、光記録媒体２の記録、再生を適正に行うことができない。
【００１６】
そこで、本形態では、レンズホルダ２０、３０には、図２に示すように、ダンパー機構取付部５を形成しておき、その接合領域５０に接着剤６を塗布した後、ダンパー材７１とバランサーウエイト７２とが積層されてなるダンパー機構７のダンパー材７１の方を接着剤６を介してダンパ機構取付部５に固定しておく。従って、レンズホルダの振動は、ダンパー機構７によって吸収されることになる。
【００１７】
ここで、ダンパー機構取付部５は、ダンパー材７１との接合領域５０をダンパー材７１の面積よりも狭くし、接合領域５０の周囲を接着剤溜まり部５５１として接合領域５０よりも低くしてある。このため、ダンパー機構取付部５の接合領域５０に接着剤６を塗布した後、そこにダンパー機構７を取り付けた際、余剰な接着剤６がダンパー材７１と接合領域５０との間から染み出しても、染み出した接着剤６は、矢印Ａで示すように、接着剤溜まり部５５１に流出し、バランサーウエイト７２まで届くことがない。
【００１８】
従って、本形態によれば、ダンパー材７１が０．１ｍｍ厚程度と薄くても、バランサーウエイト７２が接着剤６を介してダンパ機構取付部５に直接、固定されるという事態が発生しない。それ故、ダンパー材７１の弾性度が製品毎にばらつくことがないので、ダンパー機構７において安定した振動吸収効果を得ることができる。
【００１９】
なお、本形態では、レンズホルダにダンパー機構７を接着剤６によって取り付ける例を説明したが、図１（Ａ）、（Ｂ）に示すように、フレームも光記録媒体の半径方向に走査される。このような走査時の振動を防止するためにフレームに対してダンパー機構７を接着剤６によって取り付ける場合に本形態を適用してもよい。
【００２０】
［実施の形態２］
図３は、本発明の実施の形態２に係る光ヘッド装置におけるダンパー機構７の取り付け構造を示す説明図である。
【００２１】
本形態でも、レンズホルダあるいはホルダにダンパー機構取付部５を形成しておき、そこに接着剤６を塗布した後、ダンパー材７１とバランサーウエイト７２とが積層されてなるダンパー機構７のダンパー材７１の方を接着剤６を介してダンパ機構取付部５に固定している。
【００２２】
ここで、ダンパー機構取付部５では、ダンパー材７１との接合領域５０の周りに接着剤溜まり部５５２としての凹部が形成されている。このため、ダンパー機構取付部５の接合領域５０に接着剤６を塗布した後、そこにダンパー機構７を取り付けた際、余剰な接着剤６がダンパー材７１と接合領域５０との間から染み出しても、染み出した接着剤６は、矢印Ｂで示すように、接着剤溜まり部５５２に流出し、バランサーウエイト７２まで届くことがない。
【００２３】
従って、本形態によれば、ダンパー材７１が０．１ｍｍ厚程度と薄くても、バランサーウエイト７２が接着剤６を介してダンパ機構取付部５に直接、固定されるという事態が発生しない。それ故、ダンパー材７１の弾性度が製品毎にばらつくことがないので、ダンパー機構７において安定した振動吸収効果を得ることができる。
【００２４】
［実施の形態３］
図４は、本発明の実施の形態３に係る光ヘッド装置におけるダンパー機構７の取り付け構造を示す説明図である。
【００２５】
本形態でも、レンズホルダあるいはホルダにはダンパー機構取付部５を形成しておき、そこに接着剤６を塗布した後、ダンパー材７１とバランサーウエイト７２とが積層されてなるダンパー機構７のダンパー材７１の方を接着剤６を介してダンパ機構取付部５に固定している。
【００２６】
ここで、ダンパー機構取付部５では、ダンパー材７１との接合領域５０内に接着剤溜まり部５５３としての凹部が形成されている。このため、ダンパー機構取付部５の接合領域５０に接着剤６を塗布した後、そこにダンパー機構７を取り付けた際、余剰な接着剤６は、矢印Ｃで示すように、接着剤溜まり部５５３内に流入し、ダンパー材７１と接合領域５０との間から染み出すことがない。
【００２７】
従って、ダンパー材７１が０．１ｍｍ厚程度と薄くても、ダンパー材７１と接合領域５０との間から接着剤６が染み出してバランサーウエイト７２に届くということがないで、バランサーウエイト７２が接着剤６を介してダンパ機構取付部５に直接、固定されるという事態が発生しない。それ故、ダンパー材７１の弾性度が製品毎にばらつくことがないので、ダンパー機構７において安定した振動吸収効果を得ることができる。
【００２８】
【発明の効果】
以上説明したように、本発明では、ダンパー機構取付部の接合領域に接着剤を塗布した後、そこにダンパー機構を取り付けた際、余剰な接着剤は、接着剤溜まり部に逃げるので、余剰な接着剤がダンパー材と接合領域との間から染み出してバランサーウエイトまで届くということがない。従って、バランサーウエイトが接着剤を介してダンパ機構取付部に直接、固定されるという事態が発生しない。それ故、ダンパー材の弾性度が製品毎にばらつくことがないので、ダンパー機構において安定した振動吸収効果を得ることができる。
【図面の簡単な説明】
【図１】（Ａ）、（Ｂ）はそれぞれ、軸摺動回動型アクチュエータを備えた光ヘッド装置を模式的に示す説明図、およびワイヤーサスペンジョン型アクチュエータを備えた光ヘッド装置の説明図である。
【図２】本発明の実施の形態１に係るダンパー機構の取り付け構造を示す説明図である。
【図３】本発明の実施の形態２に係るダンパー機構の取り付け構造を示す説明図である。
【図４】本発明の実施の形態３に係るダンパー機構の取り付け構造を示す説明図である。
【図５】従来のダンパー機構の取り付け構造を示す説明図である。
【符号の説明】
２　光記録媒体
３　対物レンズ
５　ダンパー機構取付部
６　接着剤
７　ダンパー機構
２０、３０　フレーム
２１　支軸（支持部材）
２２、３２　レンズホルダ
３１　ワイヤー（支持部材）
５０　ダンパー材との接合領域
７１　ダンパー材
７２　バランサーウエイト
５５１〜５５３　接着剤溜まり部
【図１】
2004145959.tif 000003
【図２】
2004145959.tif 000004
【図３】
2004145959.tif 000005
【図４】
2004145959.tif 000006
【図５】
2004145959.tif 000007